【手続補正書】
【提出日】平成16年6月22日(2004.6.22)
【手続補正１】
【補正対象書類名】明細書
【補正対象項目名】特許請求の範囲
【補正方法】変更
【補正の内容】
【特許請求の範囲】
【請求項１】
遊技盤に配設された入賞口に入賞した遊技球を検出する入賞検出センサと、
遊技球を排出する排出装置と、
遊技を統括的に制御する遊技制御装置と、
前記遊技制御装置からの制御指令に基づいて前記排出装置を制御する排出制御装置と、
前記排出装置から賞球として排出された遊技球を検出する賞球検出センサと、を備え、
前記遊技制御装置は、
前記入賞検出センサからの検出信号に基づいて前記排出装置から排出されるべき賞球数を決定する賞球数決定手段と、
前記賞球数決定手段によって決定された賞球数を含んだ賞球制御指令を送信する賞球制御指令送信手段と、を有し、
前記排出制御装置は、前記賞球制御指令送信手段から送信された賞球制御指令に含まれる賞球数を累積記憶する賞球数累積記憶手段を有する遊技機において、
前記遊技制御装置は、
前記入賞検出センサからの検出信号に基づいて加算され、前記賞球制御指令の送信によって減算される送信準備カウンタと、
前記賞球制御指令送信手段によって送信された賞球制御指令に含まれる賞球数が累積記憶され、前記賞球検出センサによる検出分の賞球数が減算される確認カウンタと、
前記確認カウンタのカウント値に前記賞球制御指令に含まれる賞球数を加算した値が所定の基準値を超えるか否かを判定する判定手段と、
前記判定手段の判定に基づき、前記賞球制御指令送信手段による賞球制御指令の送信態様を変更する送信態様変更手段と、を備え、
前記送信態様変更手段は、前記判定手段によって前記加算値が所定の基準値を超えると判定された場合には、前記賞球制御指令送信手段による賞球制御指令の送信を先延ばしすることを特徴とする遊技機。
【請求項２】
遊技盤に配設された入賞口に入賞した遊技球を検出する入賞検出センサと、
遊技球を排出する排出装置と、
遊技を統括的に制御する遊技制御装置と、
前記遊技制御装置からの制御指令に基づいて前記排出装置を制御する排出制御装置と、
前記排出装置から賞球として排出された遊技球を検出する賞球検出センサと、を備え、
前記遊技制御装置は、
前記入賞検出センサからの検出信号に基づいて前記排出装置から排出されるべき賞球数を決定する賞球数決定手段と、
前記賞球数決定手段によって決定された賞球数を含んだ賞球制御指令を送信する賞球制御指令送信手段と、を有し、
前記排出制御装置は、前記賞球制御指令送信手段から送信された賞球制御指令に含まれる賞球数を累積記憶する賞球数累積記憶手段を有する遊技機において、
前記遊技制御装置は、
前記入賞検出センサからの検出信号に基づいて加算され、前記賞球制御指令の送信によって減算される送信準備カウンタと、
前記賞球制御指令送信手段によって送信された賞球制御指令に含まれる賞球数が累積記憶され、前記賞球検出センサによる検出分の賞球数が減算される確認カウンタと、
前記確認カウンタのカウント値に前記賞球制御指令に含まれる賞球数を加算した値が所定の基準値を超えるか否かを判定する判定手段と、
前記判定手段の判定に基づき、前記賞球制御指令送信手段による賞球制御指令の送信態様を変更する送信態様変更手段と、を備え、
前記送信態様変更手段は、前記判定手段によって前記加算値が前記基準値を超えると判定された場合には、前記賞球制御指令送信手段によって送信される賞球制御指令に含まれる賞球数を、前記基準値と前記カウント値との差まで減らして送信することを特徴とする遊技機。
【請求項３】
前記基準値は前記賞球数累積記憶手段及び前記確認カウンタに累積記憶し得る上限値であることを特徴とする請求項１又は請求項２に記載の遊技機。
【手続補正２】
【補正対象書類名】明細書
【補正対象項目名】０００５
【補正方法】変更
【補正の内容】
【０００５】
【課題を解決するための手段】
第１の発明では、遊技盤に配設された入賞口に入賞した遊技球を検出する入賞検出センサと、遊技球を排出する排出装置と、遊技を統括的に制御する遊技制御装置と、前記遊技制御装置からの制御指令に基づいて前記排出装置を制御する排出制御装置と、前記排出装置から賞球として排出された遊技球を検出する賞球検出センサと、を備え、前記遊技制御装置は、前記入賞検出センサからの検出信号に基づいて前記排出装置から排出されるべき賞球数を決定する賞球数決定手段と、前記賞球数決定手段によって決定された賞球数を含んだ賞球制御指令を送信する賞球制御指令送信手段と、を有し、前記排出制御装置は、前記賞球制御指令送信手段から送信された賞球制御指令に含まれる賞球数を累積記憶する賞球数累積記憶手段を有する遊技機において、前記遊技制御装置は、前記入賞検出センサからの検出信号に基づいて加算され、前記賞球制御指令の送信によって減算される送信準備カウンタと、前記賞球制御指令送信手段によって送信された賞球制御指令に含まれる賞球数が累積記憶され、前記賞球検出センサによる検出分の賞球数が減算される確認カウンタと、前記確認カウンタのカウント値に前記賞球制御指令に含まれる賞球数を加算した値が所定の基準値を超えるか否かを判定する判定手段と、前記判定手段の判定に基づき、前記賞球制御指令送信手段による賞球制御指令の送信態様を変更する送信態様変更手段と、を備え、前記送信態様変更手段は、前記判定手段によって前記加算値が所定の基準値を超えると判定された場合には、前記賞球制御指令送信手段による賞球制御指令の送信を先延ばしする。
【手続補正３】
【補正対象書類名】明細書
【補正対象項目名】０００６
【補正方法】変更
【補正の内容】
【０００６】
第２の発明では、遊技盤に配設された入賞口に入賞した遊技球を検出する入賞検出センサと、遊技球を排出する排出装置と、遊技を統括的に制御する遊技制御装置と、前記遊技制御装置からの制御指令に基づいて前記排出装置を制御する排出制御装置と、前記排出装置から賞球として排出された遊技球を検出する賞球検出センサと、を備え、前記遊技制御装置は、前記入賞検出センサからの検出信号に基づいて前記排出装置から排出されるべき賞球数を決定する賞球数決定手段と、前記賞球数決定手段によって決定された賞球数を含んだ賞球制御指令を送信する賞球制御指令送信手段と、を有し、前記排出制御装置は、前記賞球制御指令送信手段から送信された賞球制御指令に含まれる賞球数を累積記憶する賞球数累積記憶手段を有する遊技機において、前記遊技制御装置は、前記入賞検出センサからの検出信号に基づいて加算され、前記賞球制御指令の送信によって減算される送信準備カウンタと、前記賞球制御指令送信手段によって送信された賞球制御指令に含まれる賞球数が累積記憶され、前記賞球検出センサによる検出分の賞球数が減算される確認カウンタと、前記確認カウンタのカウント値に前記賞球制御指令に含まれる賞球数を加算した値が所定の基準値を超えるか否かを判定する判定手段と、前記判定手段の判定に基づき、前記賞球制御指令送信手段による賞球制御指令の送信態様を変更する送信態様変更手段と、を備え、前記送信態様変更手段は、前記判定手段によって前記加算値が前記基準値を超えると判定された場合には、前記賞球制御指令送信手段によって送信される賞球制御指令に含まれる賞球数を、前記基準値と前記カウント値との差まで減らして送信する。
【手続補正４】
【補正対象書類名】明細書
【補正対象項目名】０００７
【補正方法】変更
【補正の内容】
【０００７】
第３の発明では、前記基準値は前記賞球数累積記憶手段及び前記確認カウンタに累積記憶し得る上限値である。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
【発明の作用および効果】
第１の発明では、確認カウンタのカウント値に賞球制御指令に含まれる賞球数を加算した値が所定の基準値を超えると判定された場合には、送信態様変更手段によって、賞球制御指令送信手段による賞球制御指令の送信を先延ばしするので、賞球数決定手段により決定された賞球数を、賞球数累積記憶手段に余裕が生じたところで送信でき、賞球数決定手段により決定された賞球数と、実際に排出される賞球数とを一致させることができる。
【手続補正９】
【補正対象書類名】明細書
【補正対象項目名】００１２
【補正方法】変更
【補正の内容】
【００１２】
第２の発明では、確認カウンタのカウント値に賞球制御指令に含まれる賞球数を加算した値が所定の基準値を超えると判定された場合には、その賞球制御指令に含まれる賞球数を基準値と累積記憶値との差まで減らして送信するので、少なくとも基準値分の賞球数排出は確保でき、賞球数決定手段により決定された賞球数と、実際に排出される賞球数との誤差を、より小さくすることができる。
【手続補正１０】
【補正対象書類名】明細書
【補正対象項目名】００１３
【補正方法】変更
【補正の内容】
【００１３】
第３の発明では、基準値は賞球数累積記憶手段及び前記確認カウンタに累積記憶し得る上限値であるので、賞球数累積記憶手段及び前記確認カウンタには最大限賞球数を積み上げていくことができ、排出されないまま失われてしまう賞球数は最小限とできる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００６６
【補正方法】変更
【補正の内容】
【００６６】
具体的に、各種入賞口への遊技球入賞に伴う排出制御装置４００への賞球制御指令の送信は、以下のように行われる。まず、各種入賞口への入賞があると、この入賞数が送信準備カウンタにカウントされる。この場合、払い出されるべき賞球数は入賞口の種類によって異なっているので、送信準備カウンタには、払い出されるべき賞球数の種類毎のカウンタが設けられており、入賞があった入賞口の種類に対応するカウンタが更新される。
【手続補正１５】
【補正対象書類名】明細書
【補正対象項目名】００６９
【補正方法】変更
【補正の内容】
【００６９】
確認カウンタは、排出制御装置４００に送信された排出要求数のうち、未だ払い出されていない賞球数を累積記憶しているカウンタであり、賞球制御指令の送信毎にこの賞球制御指令に含まれる排出要求数分のカウントが加算されるとともに、賞球検出センサ７１３による検出分が減算される。この確認カウンタの形態としては、排出要求数自体を積算して記憶する一つのカウンタからなるものや、排出要求数の種類（個数）毎に件数を積算して記憶する複数のカウンタからなるもの等がある。
【手続補正１６】
【補正対象書類名】明細書
【補正対象項目名】００７１
【補正方法】変更
【補正の内容】
【００７１】
また、確認カウンタは、後述する排出制御装置４００側の貯留カウンタと、同一の形態および同一サイズのものとなっている。ただし、本発明の適用範囲は、確認カウンタと貯留カウンタの形態およびサイズが同一である形態に限られるものではなく、確認カウンタは貯留カウンタの値を確認できるものであれば、必ずしも貯留カウンタと同一の形態およびサイズのものでなくてもよい。
後述するように、貯留カウンタには、確認カウンタと同一値が累積記憶される。したがって、本実施の形態のように排出制御装置４００から遊技制御装置１００に向けての信号送信がなされない形態であっても、遊技制御装置１００側で貯留カウンタの値を認識することができる。
【手続補正１７】
【補正対象書類名】明細書
【補正対象項目名】００９２
【補正方法】変更
【補正の内容】
【００９２】
電源投入されると、ステップＳ１において初期化処理が実行され、ＲＡＭ１０１のクリア等の処理がなされる。なお、ＲＡＭ１０１のクリアにおいては、制御エリアのクリアのみがされ、チェックデータに異常が発見されない限り、バックアップエリアのクリアはなされない。
【手続補正１８】
【補正対象書類名】明細書
【補正対象項目名】０１０３
【補正方法】変更
【補正の内容】
【０１０３】
ステップＳ２２では、確認カウンタ値と賞球数Ｊの加算値が基準値以下であるか否かの判定を行い、基準値以下であれば、ステップＳ２３の確認カウンタへの賞球数Ｊの加算処理、ステップＳ２４の排出賞球数をＪとする賞球制御指令の送信処理、ステップＳ２５の賞球数Ｊに対応する送信準備カウンタ（Ｊ個賞球用カウンタ）の−１更新処理を順次実行して、ルーチンを終了する。
【手続補正１９】
【補正対象書類名】明細書
【補正対象項目名】０１０４
【補正方法】変更
【補正の内容】
【０１０４】
一方、基準値以下でなければ、そのままルーチンを終了する。このように本実施の形態では、選択された未送信分データの賞球数Ｊと確認カウンタ値との加算値が基準値より大きい場合には、対応する送信準備カウンタの減算はなされず、結果として賞球制御指令の送信が待機される（先延ばしされる）ことになる。
【手続補正２０】
【補正対象書類名】明細書
【補正対象項目名】０１０７
【補正方法】変更
【補正の内容】
【０１０７】
ステップＳ３２では、確認カウンタ値と賞球数Ｊの加算値が基準値以下であるか否かの判定を行い、基準値以下であればステップＳ３３に進み、基準値以下でなければステップＳ３５に進む。